(57)【要約】【目的】  本発明は、こじり強度を向上させることができるシールドケースを提供する。【構成】  シールドケース１００は、底壁１１０と、一対の内壁１２０と、天壁１５０と、一対の外壁１３０と、一対の折り返し部１４０と、係合部１９０とを備えている。内壁１２０は、底壁１１０の第１方向Ｘの両端から第２方向Ｚの一方側に立ち上がっている。天壁１５０は底壁１１０に対向している。外壁１３０は、天壁１５０の第１方向Ｘの両端から第２方向Ｚの他方側に立ち上がっており且つ内壁１２０の外側に内壁１２０に沿って配置されている。折り返し部１４０は、内壁１２０の第３方向Ｙの一端と外壁１３０の第３方向Ｙの一端とを繋いでいる。係合部１９０は、一対の係合片１９１と、一対の係合孔１９２とを有している。係合片１９１は、内壁１２０に設けられ、外壁１３０に向けて延びている。係合孔１９２は、外壁１３０に設けられ、係合片１９１を係合している。【選択図】      図５Ａ
2014096218.tif 000002
【特許請求の範囲】
【請求項１】
底壁と、
前記底壁の第１方向の両端から当該第１方向に交差する第２方向の一方側に立ち上がった一対の内壁と、
前記底壁に対向する天壁と、
前記天壁の前記第１方向の両端から前記第２方向の他方側に立ち上がっており且つ前記内壁の外側に当該内壁に沿って配置された一対の外壁と、
前記内壁の前記第１、第２方向に交差する前記第３方向の一端と前記外壁の前記第３方向の一端とを繋ぐ一対の折り返し部と、
係合部とを備えており、
前記係合部は、前記内壁及び前記外壁の一方に設けられ、前記内壁及び前記外壁の他方に向けて延びた一対の係合片と、
前記内壁及び前記外壁の他方に設けられ、前記係合片を係合した一対の係合孔とを有しているシールドケース。
【請求項２】
請求項１記載のシールドケースにおいて、
前記係合片は、前記内壁及び前記外壁の一方の前記第３方向の他端に設けられており、
前記係合孔は、前記内壁及び前記外壁の他方の前記第３方向の他端部に設けられているシールドケース。
【請求項３】
請求項１記載のシールドケースにおいて、
前記外壁の前記第３方向の寸法が前記内壁の前記第３方向の寸法よりも大きく、
前記係合片は、前記内壁の前記第３方向の他端に設けられており、
前記係合孔は、前記外壁の前記第３方向の他端部に設けられているシールドケース。
【請求項４】
請求項１〜３の何れかに記載のシールドケースにおいて、
前記外壁が前記内壁に当接しているシールドケース。
【請求項５】
ボディを収容可能な請求項１〜４の何れかに記載のシールドケースにおいて、
前記外壁の前記第２方向の他端から前記第２方向の他方側に延びており且つ互いに近づく方向に折り曲げられた保持片を更に備えており、
前記保持片が前記ボディを保持可能であるシールドケース。
【請求項６】
基板の切欠き又は孔に挿入され、当該基板に実装可能な請求項１〜５の何れかに記載のシールドケースにおいて、
第１羽部を更に備えており、
前記第１羽部は、前記外壁の少なくとも一方の外壁の前記第２方向の他端から前記第１方向に延びており且つ前記基板の第１面上に当接可能な基部と、
前記基部から前記第２方向の一方側に延びており且つ前記基板の第１面に設けられた接続孔に接続可能な複数の接続部とを有するシールドケース。
【請求項７】
基板の切欠き又は孔に挿入され、当該基板に実装可能な請求項１〜６の何れかに記載のシールドケースにおいて、
前記外壁の少なくとも一方の外壁の前記第２方向の他端から前記第１方向に延びており且つ前記基板の第１面上に固着可能である第２羽部を更に備えているシールドケース。
【請求項８】
請求項１〜７の何れかに記載のシールドケースと、
前記シールドケース内に収容されたボディと、
前記ボディに保持されたコンタクトとを備えたコネクタ。
【請求項９】
請求項５記載のシールドケースと、
前記シールドケース内に収容されたメインボディ及び前記メインボディに連接され、前記シールドケースの前記底壁の前記第２方向の他方側に配置された凸部を有するボディと、
前記メインボディに保持されたコンタクトとを備えており、
前記シールドケースの前記保持片が前記凸部を保持しているコネクタ。
【請求項１０】
請求項８〜９の何れかに記載のコネクタを備えた電子機器。
【発明の詳細な説明】
【技術分野】
【０００１】
本発明は、シールドケース及びこれを備えたコネクタ並びに当該コネクタに関する。
【背景技術】
【０００２】
この種のコネクタとしては特許文献１に記載されたものがある。このコネクタは、コンタクト及びボディが収容されたシールドケースを備えている。このシールドケースは、底壁と、天壁と、一対の内壁と、折り返し部と、一対の外壁と、一対の係止片とを有している。底壁と、天壁とは互いに対向している。内壁は、底壁の両端と天壁の両端とを繋いでいる。底壁、天壁及び内壁が、相手方コネクタが挿入可能な挿入孔を区画している。外壁は、内壁の外側に当該内壁に沿って配置されている。折り返し部は、内壁の前端と外壁の前端とを繋ぐ略Ｕ字状である。係止片は外壁から垂下されている。
【先行技術文献】
【特許文献】
【０００３】
【特許文献１】特開２００９−１９９８２７号公報
【発明の概要】
【発明が解決しようとする課題】
【０００４】
外壁の相手方コネクタの挿入方向の寸法が内壁の前記挿入方向の寸法の略半分である。すなわち、外壁は内壁の前側部分に当該内壁に沿って配置されているだけである。よって、上記シールドケースの接続孔に相手方コネクタが挿入され、こじられると、上記シールドケースが変形する恐れがあった。すなわち、上記シールドケースは、こじり強度が低かった。
【０００５】
本発明は、上記事情に鑑みて創案されたものであって、その目的とするところは、こじり強度を向上させることができるシールドケース及びこれを備えたコネクタ並びに当該コネクタを提供することにある。
【課題を解決するための手段】
【０００６】
上記課題を解決するために、本発明のシールドケースは、底壁と、一対の内壁と、天壁と、一対の外壁と、一対の折り返し部と、係合部とを備えている。前記内壁は、前記底壁の第１方向の両端から当該第１方向に交差する第２方向の一方側に立ち上がっている。前記天壁は前記底壁に対向している。前記外壁は、前記天壁の前記第１方向の両端から前記第２方向の他方側に立ち上がっており且つ前記内壁の外側に当該内壁に沿って配置されている。前記折り返し部は、前記内壁の前記第１、第２方向に交差する前記第３方向の一端と前記外壁の前記第３方向の一端とを繋いでいる。前記係合部は、一対の係合片と、一対の係合孔とを有している。前記係合片は、前記内壁及び前記外壁の一方に設けられ、前記内壁及び前記外壁の他方に向けて延びている。前記係合孔は、前記内壁及び前記外壁の他方に設けられ、前記係合片を係合している。
【０００７】
このような態様のシールドケースによる場合、外壁と内壁とによって、当該シールドケースの第１方向の両側の壁が二重になっており且つ係合片が係合孔に係合されている。このため、当該シールドケースのこじり強度が向上する。
【０００８】
前記係合片は、前記内壁及び前記外壁の一方の前記第３方向の他端に設けられた構成とすることが可能である。前記係合孔は、前記内壁及び前記外壁の他方の前記第３方向の他端部に設けられた構成とすることが可能である。
【０００９】
このような態様のシールドケースによる場合、折り返し部が内壁の第３方向の一端と外壁の第３方向の一端とを繋ぐ一方、内壁及び外壁の第３方向の他端側で、係合片が係合孔に係合されている。このため、当該シールドケースのこじり強度が更に向上する。
【００１０】
前記外壁の前記第３方向の寸法が前記内壁の前記第３方向の寸法よりも大きくすることが可能である、前記係合片は、前記内壁の前記第３方向の他端に設けられた構成とすることが可能である。前記係合孔は、前記外壁の前記第３方向の他端部に設けられた構成とすることが可能である。
【００１１】
このような態様のシールドケースによる場合、折り返し部が内壁の第３方向の一端と外壁の第３方向の一端とを繋ぐ一方、内壁及び外壁の第３方向の他端側で、係合片が係合孔に係合されている。このため、当該シールドケースのこじり強度が更に向上する。
【００１２】
前記外壁が前記内壁に当接した構成とすることが可能である。このような態様のシールドケースによる場合、外壁が内壁に当接していることによって、当該シールドケースのこじり強度が更に向上する。
【００１３】
上記シールドケースがボディを収容可能である場合、上記シールドケースは、保持片を更に備えた構成とすることが可能である。前記保持片は、前記外壁の前記第２方向の他端から前記第２方向の他方側に延びており且つ互いに近づく方向に折り曲げられた構成とすることが可能である。前記保持片が前記ボディを保持可能である。
【００１４】
このような態様のシールドケースによる場合、保持片が外壁から第２方向の他方側に延びているので、シールドケースの第１方向の外面（外壁及び保持片の外面）の面積が増大する。これにより、シールドケースの強度が向上し、シールドケースのこじり強度が更に向上する。
【００１５】
上記シールドケースが基板の切欠き又は孔に挿入され、当該基板に実装可能である場合、上記シールドケースは、第１羽部を更に備えた構成とすることが可能である。前記第１羽部は、基部と、複数の接続部とを有する構成とすることが可能である。前記基部は、前記外壁の少なくとも一方の外壁の前記第２方向の他端から前記第１方向に延びており且つ前記基板の第１面上に当接可能な構成とすることが可能である。前記接続部は、前記基部から前記第２方向の一方側に延びており且つ前記基板の第１面に設けられた接続孔に係合可能な構成とすることが可能である。
【００１６】
シールドケースに複数の接続部を設けるために、シールドケースの一部にスリットを入れて当該一部を複数の接続部に分割することがある。この場合、シールドケースの一部にスリットが設けられるため、シールドケースの強度が低下する。これに対して、上記態様のシールドケースは、第１羽部の基部が外壁の少なくとも一方の第２方向の他端から第１方向に延びている。複数の接続部が基部から第２方向の一方側に延びている。このように前記シールドケースは、基部にスリット等を設ける必要がないので、シールドケースの強度が向上し、シールドケースのこじり強度を更に向上させることが可能になる。
【００１７】
上記シールドケースが基板の切欠き又は孔に挿入され、当該基板に実装可能である場合、上記シールドケースは、第２羽部を更に備えた構成とすることが可能である。前記第２羽部は、前記外壁の少なくとも一方の外壁の前記第２方向の他端から前記第１方向に延びており且つ前記基板の第１面上に固着可能な構成とすることが可能である。
【００１８】
このような態様のシールドケースによる場合、第２羽部が基板の第１面上に固着されるので、当該シールドケースの基板実装状態におけるこじり強度を更に向上させることが可能になる。
【００１９】
本発明のコネクタは、上述した何れかの態様のシールドケースと、前記シールドケース内に収容されたボディと、前記ボディに保持されたコンタクトとを備えている。
【００２０】
前記ボディは、メインボディと、凸部とを有する構成とすることが可能である。前記メインボディは、前記シールドケース内に収容された構成とすることが可能である。前記凸部は、前記メインボディに連接され、前記シールドケースの前記底壁の前記第２方向の他方側に配置された構成とすることが可能である。前記シールドケースの前記保持片は前記凸部を保持する構成とすることが可能である。
【００２１】
このような態様のコネクタによる場合、保持片がボディの凸部を保持することによって、上記シールドケースのこじり強度を更に向上させることができる。
【００２２】
本発明の電子機器は、上述した何れかの態様のコネクタを備えている。
【図面の簡単な説明】
【００２３】
【図１Ａ】本発明の実施例１に係るコネクタの正面、平面及び右側面から表した斜視図である。
【図１Ｂ】前記コネクタの背面、平面及び左側面から表した斜視図である。
【図１Ｃ】前記コネクタの正面、底面及び左側面から表した斜視図である。
【図１Ｄ】前記コネクタの背面、底面及び右側面から表した斜視図である。
【図２Ａ】前記コネクタの図１Ａ中の２Ａ−２Ａ断面図である。
【図２Ｂ】前記コネクタの図１Ｃ中の２Ｂ−２Ｂ断面図である。
【図２Ｃ】前記コネクタの図１Ａ中の２Ｃ−２Ｃ断面図である。
【図２Ｄ】前記コネクタの図１Ａ中の２Ｄ−２Ｄ断面図である。
【図３Ａ】前記コネクタのボディ及びコンタクトの正面、底面及び左側面から表した斜視図である。
【図３Ｂ】前記コネクタのボディ及びコンタクトの背面、平面及び左側面から表した斜視図である。
【図４Ａ】前記コネクタのコンタクトの正面、平面及び右側面から表した斜視図である。
【図４Ｂ】前記コネクタのコンタクトの背面、底面及び左側面から表した斜視図である。
【図５Ａ】前記コネクタのシールドケースの正面、平面及び右側面から表した斜視図である。
【図５Ｂ】前記コネクタのシールドケースの背面、底面及び左側面から表した斜視図である。
【図６】前記コネクタの基板実装状態を示す斜視図である。
【図７】前記コネクタの設計変更例の基板実装状態を示す斜視図である。
【発明を実施するための形態】
【００２４】
以下、本発明の実施例に係るコネクタＣについて上記図１Ａ〜図６を参照しつつ説明する。ここに例示するコネクタＣは、基板１０（図６参照）に実装可能なミッドマウントタイプのレセプタクルコネクタであり且つ二種類の規格に対応したマルチコネクタである。なお、基板１０は、コネクタＣが搭載可能な電子機器の基板である。電子機器としては、例えば、デジタルカメラ、デジタルビデオカメラ、携帯電話器及びスマートフォン等の携帯端末装置がある。
【００２５】
コネクタＣは、図１Ａ〜図２Ｄに示すように、シールドケース１００と、ボディ２００と、５本のコンタクト３００、コンタクト４００ａ〜４００ｆとを備えている。以下、コネクタＣの各構成要件について詳しく説明する。なお、図１Ａ〜図１Ｄに示す第１方向ＸはコネクタＣ及びシールドケース１００の幅方向である。第２方向ＺはコネクタＣ及びシールドケース１００の高さ方向である。第３方向ＹはコネクタＣ及びシールドケース１００の奥行き方向並びに図示しない相手方コネクタのコネクタＣに対する挿脱方向である。第２方向Ｚは第１方向Ｘに直角に交差している。第３方向Ｙは第１方向Ｘ及び第２方向Ｚに直角に交差している。
【００２６】
ボディ２００は絶縁樹脂で構成されている。このボディ２００は、図１Ａ〜図３Ｂに示すように、メインボディ２１０と、第１舌部２２０と、第２舌部２３０と、一対の凸部２４０とを有している。メインボディ２１０は略矩形状のブロックである。メインボディ２１０の第２方向Ｚの一端部（上端部）の第３方向Ｙの一方側（前側）の中央部には、係合凹部２１１が設けられている。メインボディ２１０の第２方向Ｚの一端部（上端部）の第３方向Ｙの一方側（前側）の両端部には、一対の切欠き２１２が設けられている。メインボディ２１０の第２方向Ｚの一端部（上端部）の第３方向Ｙの他方側の部分には、切欠き２１２よりも内側に位置するように係合凹部２１３が設けられている。メインボディ２１０の第２方向Ｚの他端面（下面）の中央部には、挿入凹部２１４が設けられている。
【００２７】
第１舌部２２０は、メインボディ２１０の第３方向Ｙの一方側の面（前面）に突設されている。第１舌部２２０は、メインボディ２１０から第３方向Ｙの一方側に延びた略矩形状の板である。第１舌部２２０の第２方向Ｚの他方側の面には、５つの溝２２１が第１方向Ｘに間隔をあけて設けられている。溝２２１は、第３方向Ｙに延びている。
【００２８】
第２舌部２３０は、第１舌部２２０の第２方向Ｚの他方側に位置するように、メインボディ２１０の前記前面に突設されている。第２舌部２３０は、メインボディ２１０から第３方向Ｙの一方側に延びた略矩形状の板である。第２舌部２３０の第２方向Ｚの一方側の面には、６つの溝２３１が第１方向Ｘに間隔をあけて設けられている。溝２３１は、第３方向Ｙに延びている。
【００２９】
凸部２４０は、メインボディ２１０の前記前面の第２方向Ｚの他端部（下端部）の両端部に突設されている。凸部２４０は第３方向Ｙの一方側に延びたブロックである。凸部２４０の第２方向Ｚの一端部の形状は、シールドケース１００の後述する底壁１１０の端部１１２の形状に対応した形状となっている。凸部２４０の第２方向Ｚの他端部には、一対の係合凹部２４１が設けられている。一対の係合凹部２４１のうちの一方の係合凹部２４１は、第２方向Ｚの他方側、第１方向Ｘの一方側及び第３方向Ｙの一方側に開放されている。一対の係合凹部２４１のうちの他方の係合凹部２４１は、第２方向Ｚの他方側、第１方向Ｘの他方側及び第３方向Ｙの一方側に開放されている。
【００３０】
コンタクト３００は、図１Ａ〜図４Ｂに示すように、金属板で構成されている。コンタクト３００は、上述した二種類の規格のちの一方の規格（例えば、ＭｉｃｒｏＵＳＢの規格）に準拠している。コンタクト３００は、接点部３１０と、コンタクト本体３２０と、テール部３３０とを有している。
【００３１】
接点部３１０は、第３方向Ｙに延びた板である。接点部３１０は、第１舌部２２０の溝２２１に挿入されている。コンタクト本体３２０は、接点部３１０の第３方向Ｙの他端に連接されており且つメインボディ２１０内に埋め込まれている（保持されている）。コンタクト本体３２０は、図２Ｃ及び図４Ａに示すように、第１板３２１と、第２板３２２と、第３板３２３とを有している。第１板３２１は接点部３１０から第３方向Ｙの他方側に延びている。第２板３２２は、第１板３２１に連接され且つ当該第１板３２１から第２方向Ｚの他方側に延びている。第３板３２３は、第２板３２２に連接され且つ当該第２板３２２から第３方向Ｙの他方側に延びている。
【００３２】
テール部３３０は、コンタクト本体３２０に連接されており且つ第３方向Ｙの他方側に延びた板である。具体的には、テール部３３０は、コンタクト本体３２０の第３板３２３に連接され、メインボディ２１０から第３方向Ｙの他方側に突出している。
【００３３】
コンタクト４００ａ〜４００ｆは、図１Ａ〜図４Ｂに示すように、金属板で構成されている。コンタクト４００ａ〜４００ｆは、上述した二種類の規格のちの他方の規格に準拠している。コンタクト４００ａ〜４００ｆは、接点部４１０ａ〜４１０ｆと、コンタクト本体４２０ａ〜４２０ｆと、テール部４３０ａ〜４３０ｆとを有している。
【００３４】
接点部４１０ａ〜４１０ｆは、第３方向Ｙに延びた板である。接点部４１０ａ〜４１０ｆは、第２舌部２３０の溝２３１に挿入されている。
【００３５】
コンタクト本体４２０ａ〜４２０ｆは、接点部４１０ａ〜４１０ｆの第３方向Ｙの他端に連接されており且つメインボディ２１０内に埋め込まれている（保持されている）。コンタクト本体４２０ａ〜４２０ｆは、図４Ｂに示すように、第１板４２１ａ〜４２１ｆと、第２板４２２ａ〜４２２ｆと、第３板４２３ａ〜４２３ｆと、第４板４２４ａ〜４２４ｆを有している。第１板４２１ａ〜４２１ｆは接点部４１０ａ〜４１０ｆから第３方向Ｙの他方側に延びている。第２板４２２ａ〜４２２ｆは、第１板４２１ａ〜４２１ｆに連接されており且つ当該第１板４２１ａ〜４２１ｆから第１方向Ｘに延びている。具体的には、第２板４２２ａ〜４２２ｃは、第１方向Ｘの一方側に延びており、第２板４２２ｄ〜４２２ｆは、第１方向Ｘの他方側に延びている。第１板４２１ａ〜４２１ｆ及び第２板４２２ａ〜４２２ｆは、図４Ａに示すように、コンタクト３００のコンタクト本体３２０の第２方向Ｚの他方側に位置している。第３板４２３ａ〜４２３ｆは、第２板４２２ａ〜４２２ｆに連接されており且つ当該第２板４２２ａ〜４２２ｆから第３方向Ｙの他方側に延びている。第４板４２４ａ〜４２４ｆは、第３板４２３ａ〜４２３ｆに連接されており且つ当該第３板４２３ａ〜４２３ｆから第２方向Ｚの一方側（上側）に延びている。第４板４２４ａ〜４２４ｆの第２方向Ｚの寸法は、テール部４３０ａ〜４３０ｆの第２方向Ｚの一端面（上面）の高さ位置がコンタクト３００のテール部３３０の第２方向Ｚの一端面（上面）の高さ位置と同じになるように設定されている。
【００３６】
テール部４３０ａ〜４３０ｆは、コンタクト本体４２０ａ〜４２０ｆに連接され、第３方向Ｙの他方側に延びた板である。具体的には、テール部４３０ａ〜４３０ｆは、コンタクト本体４２０ａ〜４２０ｆの第４板４２４ａ〜４２４ｆに連接され、ボディ２００のメインボディ２１０から第３方向Ｙの他方側に突出している。テール部４３０ｃとテール部４３０ｄとの間には間隙が生じている。当該間隙には、図１Ｂ、図１Ｄ及び図３Ｂに示すように、テール部３３０が配置されている。テール部３３０及びテール部４３０ａ〜４３０ｆが、第１方向Ｘに間隔をあけて一列で配置されている。テール部３３０及びテール部４３０ａ〜４３０ｆが基板１０の電極に接続可能となっている。
【００３７】
シールドケース１００は、図１Ａ〜図２Ｄ及び図５Ａ〜図５Ｂに示すように、金属製の筒である。シールドケース１００は、底壁１１０と、一対の内壁１２０と、一対の外壁１３０と、一対の折り返し部１４０と、天壁１５０と、一対の第１羽部１６０と、保持片１７０と、一対のロックレバー１８０と、係合部１９０とを有している。
【００３８】
底壁１１０は、図５Ｂに示すように、中央部１１１と、一対の端部１１２と、延長部１１３とを有している。中央部１１１は、図１Ａ及び図５Ａに示すように正面視略Ｕ字状の板である。一対の端部１１２のうちの一方の端部１１２は、中央部１１１の第１方向Ｘの一端から第１方向Ｘの一方側に延びた板である。一対の端部１１２のうちの他方の端部１１２は、中央部１１１の第１方向Ｘの他端から第１方向Ｘの他方側に延びた板である。中央部１１１及び端部１１２の第３方向Ｙの寸法は、天壁１５０の第３方向Ｙの寸法よりも小さい。延長部１１３は、中央部１１１の第３方向Ｙの他端から第３方向Ｙの他方側に延びた略矩形状の板である。一方の端部１１２の第１方向Ｘの一端及び他方の端部１１２の第１方向Ｘの他端（底壁１１０の第１方向Ｘの両端）に内壁１２０が立設されている。内壁１２０は、底壁１１０の前記両端から第２方向Ｚの一方側（上側）に延びた板である。
【００３９】
天壁１５０は底壁１１０に対向する略矩形状の板である。この天壁１５０の中央部には、第２方向Ｚの他方側に凸の当接部１５１が設けられている。天壁１５０の第３方向Ｙの他端には、ロックレバー１８０が第１方向Ｘに間隔を空けて設けられている。天壁１５０の第１方向Ｘの両端に外壁１３０が立設されている。外壁１３０は、天壁１５０の前記両端から第２方向Ｚの他方側（下側）に延びた板である。外壁１３０の第３方向Ｙの寸法は内壁１２０の第３方向Ｙの寸法よりも大きい。外壁１３０は内壁１２０の外側に当該内壁１２０に当接するように配置されている。
【００４０】
折り返し部１４０は、外壁１３０の第３方向Ｙの一端と内壁１２０の第３方向Ｙの一端とを繋ぐ平面視略Ｕ字状の板である。折り返し部１４０は、内壁１２０の前記一端から第３方向Ｙの一方側に延び、外側及び第３方向Ｙの他方側に折り返され、外壁１３０の前記一端まで第３方向Ｙの他方側に延びている。
【００４１】
係合部１９０は、係合片１９１と、係合孔１９２とを有している。係合孔１９２は、外壁１３０の第１方向Ｘの他端部に設けられている。係合片１９１は、内壁１２０の第３方向Ｙの他端に設けられている。係合片１９１は、外壁１３０側に延びており、係合孔１９２に係合されている。
【００４２】
上記底壁１１０、内壁１２０、外壁１３０及び天壁１５０が筒状をなしており、収容空間Ｓを区画している。この収容空間Ｓ内にボディ２００の第１、第２舌部２２０、２３０及びメインボディ２１０が収容されている。この収容状態で、天壁１５０がメインボディ２１０に当接している。底壁１１０の延長部１１３がメインボディ２１０の挿入凹部２１４に挿入され、当該挿入凹部２１４の底面に当接している。すなわち、メインボディ２１０は、第２方向Ｚにおいて天壁１５０と底壁１１０の延長部１１３との間で挟持されている。
【００４３】
加えて、メインボディ２１０は、前記収容状態で第３方向Ｙにおいてロックレバー１８０と、ロックレバー１８０以外の部分とに挟持されている。具体的には、ロックレバー１８０が略Ｌ字状に折り曲げられ、メインボディ２１０の係合凹部２１３に挿入され、係合凹部２１３の第３方向Ｙの一方側の奥側面に当接している。ロックレバー１８０以外の部分は、底壁１１０の延長部１１３以外の第３方向Ｙの他端と、天壁１５０の当接部１５１とを有する。前者は、メインボディ２１０の第３方向Ｙの一端面の第２舌部２３０の下側部に当接している。後者は、メインボディ２１０の係合凹部２１１に挿入され、当該係合凹部２１１の第３方向Ｙの一方側の奥側面に当接している。係合部１９０の係合片１９１がメインボディ２１０の切欠き２１２に挿入されている。なお、上記収容状態において、底壁１１０、内壁１２０、外壁１３０、天壁１５０、メインボディ２１０及び第１、第２舌部２２０、２３０が収容空間Ｓの一部の空間である挿入孔Ｓ１を区画している。
【００４４】
一対の保持片１７０は、外壁１３０の第２方向Ｚの他端に連接された略Ｌ字状の板である。保持片１７０は、互いに近づく方向に折り曲げられている。具体的には、保持片１７０は、基部と、ロック部とを有している。基部は外壁１３０の前記他端から第２方向Ｚの他方側に延びている。一対の保持片１７０のうちの一方のロック部は基部から第１方向Ｘの一方側に延び、上記一方の凸部２４０の係合凹部２４１に係合されている。一対の保持片１７０のうちの他方のロック部は基部から第１方向Ｘの他方側に延び、上記他方の凸部２４０の係合凹部２４１に係合されている。このようにして保持片１７０がボディ２００の凸部２４０を保持している。また、ボディ２００の凸部２４０は、底壁１１０の端部１１２の第２方向Ｚの他端面に部分的に当接している。すなわち、凸部２４０は保持片１７０と底壁１１０の端部１１２との間で挟持されている。また、図２Ｂに示すように、凸部２４０の間に底壁１１０の中央部１１１が挿入され、当該凸部２４０が中央部１１１に当接している。
【００４５】
一対の第１羽部１６０は、外壁１３０の前記他端の保持片１７０の第３方向Ｙの他方側に部分に連接された略Ｌ字状の板である。第１羽部１６０は、基部１６１と、一対（複数）の接続部１６２とを有している。一対の第１羽部１６０のうちの一方の第１羽部１６０の基部１６１は、外壁１３０の前記他端から第１方向Ｘの一方側に延びている。一対の第１羽部１６０のうちの他方の第１羽部１６０の基部１６１は、外壁１３０の前記他端から第１方向Ｘの他方側に延びている。この基部１６１が基板１０の第１面１１に当接可能である。両第１羽部１６０の接続部１６２は、基部１６１の先端に第３方向Ｙに間隔をあけて設けられ且つ第２方向Ｚの一方側に延びている。接続部１６２は基板１０の接続孔１２に接続可能となっている。
【００４６】
以下、上述したコネクタＣの組立手順について詳しく説明する。まず、コンタクト３００及びコンタクト４００ａ〜４００ｆを用意する。その後、コンタクト３００及びコンタクト４００ａ〜４００ｆを図示しない射出成形機の金型内に入れ、当該金型に絶縁樹脂を射出し、当該絶縁樹脂にコンタクト３００及びコンタクト４００ａ〜４００ｆをインサート成形する。前記絶縁樹脂が硬化したものがボディ２００となる。このようにしてコンタクト３００及びコンタクト４００ａ〜４００ｆをボディ２００に部分的に埋め込む。具体的には、コンタクト３００の接点部３１０がボディ２００の第１舌部２２０の溝２２１に挿入される。コンタクト本体３２０がボディ２００のメインボディ２１０内に埋め込まれる。テール部３３０がメインボディ２１０から突出する。コンタクト４００ａ〜４００ｆの接点部４１０ａ〜４１０ｆがボディ２００の第２舌部２３０の溝２３１に挿入される。コンタクト本体４２０ａ〜４２０ｆがボディ２００のメインボディ２１０内に埋め込まれる。テール部４３０ａ〜４３０ｆがメインボディ２１０から突出する。
【００４７】
その後、金属板を用意する。その後、金属板を図示しないプレス成形機の金型に入れ、プレス成形する。プレス成形された金属板がシールドケース１００となる。この成形時において、折り返し部１４０が内側及び第３方向Ｙの他方側に折り返され、内壁１２０が外壁１３０に当接する。これにより、折り返し部１４０が略Ｕ字状となる。このとき、内壁１２０の係合片１９１が外壁１３０の係合孔１９２に係合される。なお、当該シールドケース１００は、ロックレバー１８０が折り曲げられておらず、第３方向Ｙの他方側に延びている。
【００４８】
その後、シールドケース１００の収容空間Ｓにボディ２００の第１、第２舌部２２０、２３０及びメインボディ２１０を挿入する。すると、ボディ２００のメインボディ２１０が、底壁１１０の延長部１１３以外の第３方向Ｙの他端に当接すると共に、天壁１５０に当接する。底壁１１０の延長部１１３がメインボディ２１０の挿入凹部２１４に挿入され、当該挿入凹部２１４の底面に当接する。これにより、メインボディ２１０が第２方向Ｚにおいて天壁１５０と延長部１１３との間で挟持される。これと共に、天壁１５０の当接部１５１がメインボディ２１０の係合凹部２１１に挿入され、当該係合凹部２１１の奥側面に当接する。係合部１９０の係合片１９１がメインボディ２１０の切欠き２１２に挿入される。ボディ２００の凸部２４０が底壁１１０の端部１１２の第２方向Ｚの他方側に配置され、当該端部１１２に部分的に当接する。このとき、保持片１７０が凸部２４０の係合凹部２４１に第３方向Ｙの一方側から挿入され、係合凹部２４１の底面に当接する。これにより、凸部２４０が保持片１７０と底壁１１０との間で挟持される。これと共に、凸部２４０の間に底壁１１０の中央部１１１が挿入され、当該凸部２４０の内側の端面が中央部１１１に当接する。
【００４９】
その後、ロックレバー１８０を略Ｌ字状に折り曲げ、メインボディ２１０の係合凹部２１３に挿入させ、係合凹部２１３の奥側面に当接させる。これにより、メインボディ２１０が第３方向Ｙにおいて、ロックレバー１８０と上記ロックレバー１８０以外の部分とに挟持される。
【００５０】
以下、上記コネクタＣを基板１０に実装する手順について図６を参照しつつ詳しく説明する。基板１０は、第１面１１と、４つの接続孔１２と、切欠き１３と、図示しない複数の上記電極とを備えている。第１面１１は、基板１０の厚み方向の一方側の面である。本実施例では、基板１０の下面である。切欠き１３は、基板１０の端部に設けられた矩形状の凹部である。接続孔１２は、基板１０の第１面１１に二つずつ第３方向Ｙに間隔をあけて設けられている。接続孔１２は、切欠き１３の第１方向Ｘの両縁部に配置されている。電極は、基板１０の第１面１１の切欠き１３の第３方向Ｙの縁部に一列で第１方向Ｘに間隔をあけて設けられている。
【００５１】
まず、コネクタＣを基板１０の切欠き１３に挿入し、当該コネクタＣの第１羽部１６０の接続部１６２を基板１０の接続孔１２に挿入する。すると、第１羽部１６０の基部１６１が基板１０の第１面１１に当接する。これと共に、コネクタＣのコンタクト３００のテール部３３０及びコンタクト４００ａ〜４００ｆのテール部４３０ａ〜４３０ｆが電極に接触する。この状態で、接続部１６２を接続孔１２に、テール部３３０及び４３０ａ〜４３０ｆを電極にはんだ接続させる。このようにしてコネクタＣが基板１０にミッドマウントポジションで実装される。なお、切欠き１３ではなく、基板１０に設けられた図示しない孔にコネクタＣを挿入する際も、上記手順の通りである。この場合、接続孔１２は、孔の第１方向Ｘの両縁部に設けられている。
【００５２】
以下、上記コネクタＣに第１、第２又は第３相手方コネクタが接続される手順について詳しく説明する。第１相手方コネクタは、コンタクト３００に接続可能な複数の第１相手方コンタクトと、第１舌部２２０が嵌合可能な第１接続孔とを備えている。第２相手方コネクタは、コンタクト４００ａ〜４００ｆに接続可能な複数の第２相手方コンタクトと、第２舌部２３０が嵌合可能な第２接続孔とを備えている。第３相手方コネクタは、前記第１、第２相手方コンタクトと、前記第１、第２接続孔とを備えている。
【００５３】
第１相手方コネクタがコネクタＣの上記挿入孔Ｓ１に挿入される。すると、第１舌部２２０が第１相手方コネクタの第１接続孔に嵌合し、第１相手方コンタクトがコンタクト３００の接点部３１０に接触する。これにより、第１相手方コネクタがコネクタＣに接続される。
【００５４】
第２相手方コネクタがコネクタＣの上記挿入孔Ｓ１に挿入される。すると、第２舌部２３０が第２相手方コネクタの第２接続孔に嵌合し、第２相手方コンタクトがコンタクト４００ａ〜４００ｆの接点部４１０ａ〜４１０ｆに接触する。これにより、第２相手方コネクタがコネクタＣに接続される。
【００５５】
第３相手方コネクタがコネクタＣの上記挿入孔Ｓ１に挿入される。すると、第１、第２舌部２２０、２３０が第３相手方コネクタの第１、第２接続孔に嵌合し、第１相手方コンタクトがコンタクト３００の接点部３１０に接触し、第２相手方コンタクトがコンタクト４００ａ〜４００ｆの接点部４１０ａ〜４１０ｆに接触する。これにより、第３相手方コネクタがコネクタＣに接続される。
【００５６】
上述したコネクタＣによる場合、外壁１３０が内壁１２０に当接するように当該内壁１２０の外側に配置されているので、シールドケース１００の第１方向Ｘの両側の壁が二重になる。しかも、内壁１２０の第３方向Ｙの一端と外壁１３０の第３方向Ｙの一端とが折り返し部１４０によって連結されていると共に、内壁１２０の第３方向Ｙの他端に設けられた係合片１９１が外壁１３０の第３方向Ｙの他端部に設けられた係合孔１９２に係合されている。更に、保持片１７０が外壁１３０から第２方向Ｙの他方側に延びているので、シールドケース１００の第１方向Ｘの外面（外壁１３０及び保持片１７０の外面）の面積が増大する。これらの構成により、シールドケースの強度が向上し、シールドケース１００のこじり強度が向上する。その結果として、コネクタＣのこじり強度も向上する。
【００５７】
シールドケースに複数の接続部を設けるために、当該シールドケースの一部（例えば、側壁や外壁）にスリットを入れて当該一部を複数の接続部に分割することがある。この場合、前記シールドケースの前記一部にスリットが設けられるため、シールドケースの強度が低下する。これに対して、コネクタＣのシールドケース１００は、第１羽部１６０の基部１６１が外壁１３０の第２方向Ｚの他端に一体的に設けられ、基部１６１に対して略直角に折り曲げられている。複数の接続部１６２が基部１６１から第２方向Ｚの一方側に延びている。このようにシールドケース１００は、基部１６１にスリット等を設ける必要がないので、シールドケース１００の強度が向上し、シールドケース１００のこじり強度を更に向上させることが可能になる。
【００５８】
更に、底壁１１０及び内壁１２０を切り欠いて基板実装用の羽部等を形成した場合、底壁１１０及び内壁１２０に孔が形成される。はんだ接続時に、前記孔から収容空間Ｓ内にはんだやフラックスが侵入する。しかし、コネクタＣは、保持片１７０及び第１羽部１６０が外壁１３０に設けられているため、底壁１１０及び内壁１２０に孔が形成されていない。よって、第１羽部１６０及びテール部３３０、４３０ａ〜４３０ｆのはんだ接続時に、前記孔からはんだやフラックスが侵入する恐れを軽減させることができる。
【００５９】
なお、上述したシールドケース１００及びコネクタＣは、上記実施例に限定されるものではなく、特許請求の範囲の記載範囲において任意に設計変更することが可能である。以下、詳しく述べる。
【００６０】
上記実施例では、シールドケース１００は、底壁１１０と、一対の内壁１２０と、一対の外壁１３０と、一対の折り返し部１４０と、天壁１５０と、一対の第１羽部１６０と、保持片１７０と、一対のロックレバー１８０と、係合部１９０とを有しているとした。しかし、シールドケースは、底壁と、前記底壁の第１方向の両端から当該第１方向に交差する第２方向の一方側に立ち上がった一対の内壁と、前記底壁に対向する天壁と、前記天壁の前記第２方向の他方側に立ち上がっており且つ前記内壁の外側に当該内壁に沿って配置された一対の外壁と、前記内壁の前記第１、第２方向に交差する前記第３方向の一端と前記外壁の前記第３方向の一端とを繋ぐ一対の折り返し部と、係合部とを備えており、前記係合部は、前記内壁及び前記外壁の一方に設けられ、前記内壁及び前記外壁の他方に向けて延びた一対の係合片と、前記内壁及び前記外壁の他方に設けられ、前記係合片を係合可能な一対の係合孔とを有している限り任意に設計変更することが可能である。
【００６１】
上記実施例では、底壁１１０は、中央部１１１と、一対の端部１１２と、延長部１１３とを有する形状であるとした。しかし、底壁の形状は任意に設計変更することが可能である。例えば、底壁は矩形状の板とすることも可能である。また、底壁はボディの凸部に当接しない構成とすることが可能である。
【００６２】
上記実施例では、天壁１５０は底壁１１０に対向する略矩形状の板であるとした。しかし、天壁は底壁に対向する限り任意に設計変更することが可能である。例えば、天壁は、略Ｕ字状の中央部と、この中央部の第１方向の端に連接され、当該第１方向に延びた端部とを有する構成とすることが可能である。
【００６３】
上記実施例では、内壁１２０は、底壁１１０の第１方向Ｘの両端から第２方向Ｚの一方側（上側）に延びた板であるとした。しかし、内壁は、底壁の第１方向の両端から当該第１方向に交差する第２方向の一方側に立ち上がっている限り任意に設計変更することが可能である。例えば、内壁は、底壁の第１方向の両端から傾斜しつつ第２方向の一方側に立ち上がった構成又は湾曲しつつ第２方向の一方側に立ち上がった構成に設計変更することが可能である。
【００６４】
上記実施例では、外壁１３０は、天壁１５０の前記両端から第２方向Ｚの他方側（下側）に延びた板であって、外壁１３０の第３方向Ｙの寸法が内壁１２０の第３方向Ｙの寸法よりも大きいとした。しかし、外壁は、天壁の第１方向の両端から第２方向の他方側に立ち上がっており且つ内壁の外側に当該内壁に沿って配置されている限り任意に設計変更することが可能である。例えば、外壁の第３方向の寸法が内壁の第３方向Ｙの寸法よりも小さくても良い。また、外壁は内壁に当接せず、当該内壁との間に間隙を有して配置されるように構成することが可能である。更に、外壁は、天壁の第１方向の両端から傾斜しつつ第２方向の他方側に立ち上がった構成又は湾曲しつつ第２方向の他方側に立ち上がった構成に設計変更することが可能である。
【００６５】
上記実施例では、折り返し部１４０は、外壁１３０の第３方向Ｙの一端と内壁１２０の第３方向Ｙの一端とを繋ぐ平面視略Ｕ字状の板であるとした。しかし、折り返し部は、外壁の第３方向の一端と内壁の第３方向の一端とを繋ぐものである限り任意に設計変更することが可能である。
【００６６】
上記実施例では、係合部１９０は、外壁１３０の第１方向Ｘの他端部に設けられた係合孔１９２と、内壁１２０の第３方向Ｙの他端に設けられ、外壁１３０側に折り曲げられ、係合孔１９２に係合された係合片１９１とを有するとした。しかし、係合部は、内壁及び外壁の一方に設けられ、前記内壁及び前記外壁の他方に向けて延びた一対の係合片と、前記内壁及び前記外壁の他方に設けられ、前記係合片を係合可能な一対の係合孔とを有している限り任意に設計変更することが可能である。よって、係合片は内壁の任意の箇所に設けることが可能であり、係合孔は外壁の任意の箇所に設けることが可能である。また、係合片は、外壁に設けることが可能であり、係合孔を内壁に設けることが可能である。係合孔は、内壁または外壁を貫通しない孔とすることが可能である。
【００６７】
上述した第１羽部１６０、保持片１７０及び／又は一対のロックレバー１８０は省略可能である。上記実施例では、第１羽部１６０は、一対の外壁１３０の第２方向Ｚの他端に連接されているとした。しかし、第１羽部は、一対の外壁の何れか一方の外壁の第２方向Ｚの他端に連接された構成とすることが可能である。また、第１羽部は、外壁の第２方向の他端から第１方向に延びており且つ基板の第１面上に当接可能な基部と、前記基部から第２方向の一方側に延びており且つ前記基板の第１面に設けられた接続孔に接続可能な少なくとも一つの接続部とを有する限り任意に設計変更することが可能である。更に、第１羽部は、第２羽部に置換することが可能である。第２羽部は、外壁の少なくとも一方の外壁の第２方向の他端から第１方向に延びており且つ基板の第１面上に固着可能な構成とすることが可能である。また、第１羽部が一方の外壁の第２方向Ｚの他端に連接され、第２羽部が他方の外壁の第２方向Ｚの他端に連接された構成に設計変更することが可能である。また、図７に示すコネクタＣ’のように、第１、第２羽部を一体化させた羽部１６０’を備えた構成とすることが可能である。羽部１６０’は、基部１６１’と、接続部１６２’、１６３’とを有している。基部１６１’は基部１６１と同じである。接続部１６２’１６３’は、基部１６１’の先端に第３方向Ｙに間隔をあけて設けられている。接続部１６２’は、第２方向Ｚの一方側に延びており、基板１０の接続孔１２に接続可能となっている。接続部１６３’は、第１方向Ｘに延びており、基板１０の第１面１１上の電極１１ａに半田接続可能となっている。コネクタＣ’も切欠き１３ではなく、基板１０の孔に挿入することが可能である。
【００６８】
保持片１７０は、外壁１３０の第２方向Ｚの他端に連接された略Ｌ字状の板であって、当該保持片１７０のロック部がボディ２００の凸部２４０の係合凹部２４１に係合されることにより、ボディ２００の凸部２４０を保持しているとした。しかし、保持片は、外壁の第２方向の他端から前記第２方向の他方側に延びており且つ互いに近づく方向に折り曲げられ、ボディを保持可能である限り任意に設計変更することが可能である。よって、保持片は、ボディのメインボディの第２方向Ｚの他端面又はボディの凸部の第２方向Ｚの他端面を保持するように設計変更することが可能である。
【００６９】
上記実施例では、ボディ２００は、メインボディ２１０と、第１舌部２２０と、第２舌部２３０と、一対の凸部２４０とを有しているとした。しかし、ボディは、シールドケース内に収容され、コンタクトを保持し得る限り任意に設計変更することが可能である。例えば、ボディは、メインボディと、メインボディから第１方向に延びる少なくとも一つの舌部を有する構成とすることが可能である。この場合、少なくとも一種類のコンタクトがメインボディに部分的に埋め込まれ、当該コンタクトの接点部が舌部から露出するように設計変更することが可能である。又は、少なくとも一種類のコンタクトがメインボディの圧入孔又は圧入溝に部分的に圧入され、当該コンタクトの接点部が舌部の溝に挿入されるように設計変更することが可能である。また、ボディは、メインボディと、メインボディに設けられた少なくとも一つの接続孔を有する構成とすることが可能である。この場合、少なくとも一種類のコンタクトがメインボディに部分的に埋め込まれ、当該コンタクトの接点部が接続孔の第１面から露出するように設計変更することが可能である。又は、少なくとも一種類のコンタクトがメインボディの圧入孔又は圧入溝に部分的に圧入され、当該コンタクトの接点部が接続孔の第１面に設けられた溝に挿入されるように設計変更することが可能である。
【００７０】
上記実施例では、コンタクト３００及びコンタクト４００ａ〜４００ｆがボディ２００に埋め込まれているとした。しかし、少なくとも一つのコンタクトがボディに保持されている限り任意に設計変更することが可能である。例えば、コンタクトがボディに設けられた圧入孔又は圧入溝に圧入されることによって、当該ボディに保持される構成とすることが可能である。また、上記実施例では、コンタクト３００及びコンタクト４００ａ〜４００ｆが異なる規格に準拠しているとした。しかし、コンタクト３００及びコンタクト４００ａ〜４００ｆは同一の規格に準拠するように設計変更することが可能である。コンタクトが３以上の規格に準拠するように設計変更することが可能である。
【００７１】
上記実施例１では、テール部３３０とテール部４３０ａ〜４３０ｆとは、第１方向Ｘに一列で配置されており且つテール部３３０が、テール部４４０ｃとテール部４４０ｄとの間の間隙に配置されているとした。しかし、コンタクトのテール部は、これに限定されるものではない。例えば、コンタクトが、ボディ内に埋め込まれた基板又は接続部（例えば、ケーブルや接続ピン等）にボディ内で接続される場合、テール部は省略可能である。また、二種類以上のコンタクトのテール部が、ボディから突出し、交互に第１方向に間隔をあけて配置された構成とすることが可能である。また、第１コンタクトのテール部がボディから突出して第１位置で一列に配列され、第２コンタクトのテール部がボディから突出して前記第１位置よりも第３方向の一方側又は他方側の第２位置において一列に配列されるように設計変更することが可能である。更に、上述したテール部は、ボディから第３方向以外の方向に突出する構成とすることも可能である。
【００７２】
なお、上記実施例におけるシールドケース１００及びコネクタＣの各部を構成する素材、形状、寸法、数及び配置等はその一例を説明したものであって、同様の機能を実現し得る限り任意に設計変更することが可能である。上記実施例では、コネクタＣはミッドマウントタイプのレセプタクルコネクタであり且つマルチコネクタであるとした。しかし、本発明のコネクタは、これに限定されるものではない。例えば、本発明のコネクタは、シールドケースの第１及び／又は第２羽部に脚部に置換することによって、基板に表面実装可能な構成に設計変更することが可能である。脚部は、基板上の電極又は基板に設けられた接続孔に接続可能である。また、本発明のコネクタは、プラグコネクタとすることも可能である。この場合、コンタクトが、ケーブルが接続された基板又はケーブルに接続された構成とすることが可能である。また、本発明のコネクタは、上述したように一種類のコンタクトを備えることにより、一種類の規格に対応したコネクタとすることも可能であり、また、３種類以上のコンタクトを備えることによって二種類以上の規格に対応したコネクタとすることも可能である。すなわち、上述したコネクタは、少なくとも一つの相手方コネクタが接続可能なコネクタに設計変更することが可能である。なお、上記第１方向は、任意に設計変更することが可能である。上記第２方向は第１方向に交差している限り任意に設計変更することが可能である。上記第３方向は、第１、第２方向に交差している限り任意に設計変更することが可能である。
【符号の説明】
【００７３】
１００・・・・シールドケース
１１０・・・底壁
１２０・・・内壁
１３０・・・外壁
１４０・・・折り返し部
１５０・・・天壁
１６０・・・第１羽部
１７０・・・保持片
１８０・・・ロックレバー
１９０・・・係合部
１９１・・係合片
１９２・・係合孔
２００・・・ボディ
２１０・・メインボディ
２２０・・第１舌部
２３０・・第２舌部
３００・・・コンタクト
４００ａ〜４００ｆ・コンタクト
【図１Ａ】
2014096218.tif 000003
【図１Ｂ】
2014096218.tif 000004
【図１Ｃ】
2014096218.tif 000005
【図１Ｄ】
2014096218.tif 000006
【図２Ａ】
2014096218.tif 000007
【図２Ｂ】
2014096218.tif 000008
【図２Ｃ】
2014096218.tif 000009
【図２Ｄ】
2014096218.tif 000010
【図３Ａ】
2014096218.tif 000011
【図３Ｂ】
2014096218.tif 000012
【図４Ａ】
2014096218.tif 000013
【図４Ｂ】
2014096218.tif 000014
【図５Ａ】
2014096218.tif 000015
【図５Ｂ】
2014096218.tif 000016
【図６】
2014096218.tif 000017
【図７】
2014096218.tif 000018